【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
始動条件の成立に応じて複数種類の識別情報を変動表示させる変動表示装置を備え、変動表示の表示結果が特定表示結果となったときに遊技者にとって有利な有利状態に制御する遊技機であって、
前記始動条件が成立したときに保留記憶として記憶する保留記憶手段と、
前記保留記憶手段に記憶された保留記憶毎に、該保留記憶が記憶されている旨を示す保留情報を表示する保留表示手段と、
前記保留記憶手段に記憶された保留記憶により行う変動表示の後に前記有利状態に制御するか否かを、該保留記憶による表示結果を導出するよりも前に決定する特定決定手段と、
前記保留記憶手段に記憶された保留記憶のうちの所定の保留記憶が前記有利状態に制御する旨が決定される保留記憶であるか否かを示唆する先読み予告演出を、該所定の保留記憶についての保留情報を通常態様とは異なる特別態様に変化させて表示することにより実行する先読み予告実行手段と、
変動表示が実行されている間に、予め定められた系統に従って演出態様が段階的に変化するステップアップ演出を、該変動表示の後に前記有利状態に制御される場合に前記有利状態に制御されない場合よりも高い割合で予め定められた段階まで演出態様が変化するように実行するステップアップ演出実行手段と、
を備え、
前記先読み予告実行手段は、前記ステップアップ演出と同じ態様の演出を実行した後、前記所定の保留記憶についての保留情報に対して所定の作用を及ぼす作用演出を実行して該保留情報を特別態様に変化させる特定先読み予告演出を実行する特定先読み予告実行手段を含み、
前記特定先読み予告演出実行手段は、変動表示が開始されたときの前記保留記憶手段が記憶する保留情報の数に応じて、前記特定先読み予告演出を異なる割合で実行する
ことを特徴とする遊技機。
【手続補正２】
【補正対象書類名】明細書
【補正対象項目名】００１１
【補正方法】変更
【補正の内容】
【００１１】
上記目的を達成するため、本発明にかかる手段１の遊技機は、
始動条件の成立に応じて複数種類の識別情報を変動表示（飾り図柄の変動表示）させる変動表示装置（可変表示装置９）を備え、変動表示の表示結果が特定表示結果となったときに遊技者にとって有利な有利状態に制御する遊技機（パチンコ遊技機１）であって、
前記始動条件が成立したときに保留記憶として記憶する保留記憶手段（始動入賞時に抽出した各種乱数を格納するＲＡＭ５５の保留記憶バッファ）と、
前記保留記憶手段に記憶された保留記憶毎に、該保留記憶が記憶されている旨を示す保留情報（アイコン１１ａ−１〜１１ａ−４）を表示する保留表示手段（特別図柄保留記憶表示部１１ａ、１１ｂ）と、
前記保留記憶手段に記憶された保留記憶により行う変動表示の後に前記有利状態に制御とするか否かを、該保留記憶による表示結果を導出するよりも前に決定する特定決定手段（ＣＰＵ５６：大当たり抽選）と、
前記保留記憶手段に記憶された保留記憶のうちの所定の保留記憶が前記有利状態に制御する旨が決定される保留記憶であるか否かを示唆する先読み予告演出（先読み予告）を、該所定の保留記憶についての保留情報を通常態様とは異なる特別態様（星形のアイコン、花のアイコン）に変化させて表示することにより実行する先読み予告実行手段（表示制御基板８０の表示制御用ＣＰＵ：先読み予告の実行）と、
変動表示が実行されている間に、予め定められた系統に従って演出態様が段階的に変化するステップアップ演出（ステップアップ演出Ａ、ステップアップ演出Ｂ）を、該変動表示の後に前記有利状態に制御される場合に前記有利状態に制御されない場合よりも高い割合で予め定められた段階まで演出態様が変化するように実行するステップアップ演出実行手段（表示制御基板８０の表示制御用ＣＰＵ：大当たり予告としてのステップアップ演出Ａ、ステップアップ演出Ｂ）と、
を備え、
前記先読み予告実行手段は、前記ステップアップ演出と同じ態様（蝶１１１または蝶１１２がアイコン１１ａに留まろうとする態様）の演出を実行した後、前記所定の保留記憶
についての保留情報に対して所定の作用を及ぼす作用演出（蝶１１１または蝶１１２がアイコン１１ａに留まる態様）を実行して該保留情報を特別態様に変化させる特定先読み予告演出を実行する特定先読み予告実行手段（表示制御基板８０の表示制御用ＣＰＵ：先読み予告としての先読みステップアップ演出）を含み、
前記特定先読み予告演出実行手段は、変動表示が開始されたときの前記保留記憶手段が記憶する保留情報の数に応じて、前記特定先読み予告演出を異なる割合で実行する
ことを特徴とする。
【手続補正３】
【補正対象書類名】明細書
【補正対象項目名】００１２
【補正方法】変更
【補正の内容】
【００１２】
上記遊技機では、保留記憶手段に記憶された保留記憶のうちの所定の保留記憶が特定遊技結果とする旨が決定される保留記憶であるか否かを示唆する先読み予告が実行され得るとともに、変動表示装置において識別情報の変動表示が行われている間に、予め定められた系統に従って演出態様が段階的に変化し、該変動表示での表示結果が特定表示結果となる場合には特定表示結果とならない場合よりも高い割合で予め定められた段階まで演出態様が変化するステップアップ演出が実行され得る。
【手続補正４】
【補正対象書類名】明細書
【補正対象項目名】００１３
【補正方法】変更
【補正の内容】
【００１３】
先読み予告が行われていたときには、その先読み予告自体で、保留記憶手段に記憶されている保留記憶、すなわち現時点よりも後に開始される変動表示において特定表示結果となる可能性が比較的高いことが示されている。ステップアップ演出は、より後の段階まで演出態様が変化されれば特定表示結果となる可能性が高いことが示されるものの、例えば、第１段階が実行された程度では、特定遊技結果となる可能性が未だそれほど高いとは言えない演出である。
【手続補正５】
【補正対象書類名】明細書
【補正対象項目名】００１４
【補正方法】変更
【補正の内容】
【００１４】
ここで、ステップアップ演出として、第１の段階以降の第２の段階までの演出が特定の実行態様で実行される特定ステップアップ演出が実行され得るが、先読み予告演出も、ステップアップ演出における第１の段階以降の第２の段階まで同じ態様の演出を実行し、その後作用演出を実行する第１特定先読み予告演出と、ステップアップ演出における第１の段階以降の第２の段階まで同じ態様の演出を実行し、その後第２特定先読み予告演出と、を含むいずれかの特定先読み予告演出が実行され得る。つまり、ステップアップ演出であったとしたら遊技者の期待感が未ださほど高くなっていない第１の段階以降の第２の段階まで実行される演出である特定の実行態様が現れたら、そのままステップアップ演出となるのか、それとも先読み予告演出となるのかが、遊技者にとってはわからない。
【手続補正６】
【補正対象書類名】明細書
【補正対象項目名】００１６
【補正方法】変更
【補正の内容】
【００１６】
なお、前記保留記憶手段に記憶された保留記憶は前記特定表示結果であったが、これに代えて、またはこれと共に例えば、その保留記憶に基づく変動表示がリーチ表示態様となることを示すものである場合には、前記先読み予告演出によって、それをも示唆することができるものとしてもよい。また、当該変動表示がリーチ表示態様となるものである場合には、リーチ表示態様となるものでない場合よりも高い割合で予め定められた段階まで演出態様が変化するように、前記ステップアップ演出を実行するものであってもよい。